(57)【特許請求の範囲】
【請求項１】
所定の入射角で入射した照明光を特定の角度範囲内に回折して白色に見える白色拡散板において、
前記白色拡散板は、微小なセルの２次元アレーからなり、各セルは格子間隔が２次元的に連続的に変わる透過型又は反射型の２次元回折格子からなることを特徴とする白色拡散板。
【請求項２】
前記２次元回折格子は、透過型又は反射型のフレネルゾーンプレートの部分領域からなることを特徴とする請求項１記載の白色拡散板。
【請求項３】
前記２次元回折格子の前記照明光の入射方向を含む断面における最大の格子間隔ｄmax と最小の格子間隔ｄmin との比が、赤色波長λR と青色波長λB の比より大きいことを特徴とする請求項１又は２記載の白色拡散板。
【請求項４】
前記赤色波長λR が６５０ｎｍであり、前記青色波長λB が４５０ｎｍであることを特徴とする請求項３記載の白色拡散板。
【請求項５】
前記２次元回折格子は位相格子からなり、少なくとも前記照明光の入射方向を含む断面において、特定の１つの次数に回折するようにブレーズ化されていることを特徴とする請求項１から４の何れか１項記載の白色拡散板。
【請求項６】
前記２次元回折格子は、前記照明光の入射方向を含む断面に直交する方向において、特定の次数のプラスにブレーズ化されたものとマイナスにブレーズ化されたものとが略等しく存在していることを特徴とする請求項５記載の白色拡散板。
【請求項７】
請求項１から６の何れか１項記載の白色拡散板を透過型又は反射型のスクリーンとして用いていることを特徴とする表示装置。
【請求項８】
請求項１から６の何れか１項記載の白色拡散板を反射板として背面に配置していることを特徴とする反射型液晶表示装置。
【請求項９】
請求項１から６の何れか１項記載の白色拡散板を液晶層と背面基板の間に反射板として配置していることを特徴とする反射型液晶表示装置。
【請求項１０】
請求項９記載の反射型液晶表示装置において、前記反射板を半透過性のものをして構成し、その背面側に光源を設けたことを特徴とする反射型液晶表示装置。
【発明の詳細な説明】
【０００１】
【発明の属する技術分野】
本発明は、白色拡散板及びそれを用いた反射型液晶表示装置に関し、特に、所望の観察領域で白色に観察可能な白色拡散板とそれを反射板として用いた反射型液晶表示装置に関するものである。
【０００２】
【従来の技術】
従来、反射型液晶表示装置の背面に配して反射拡散板として利用可能な計算機ホログラムが提案されている。例えば、特開平１１−１８３７１６号、特開平１１−２９６０５４号には、斜めの所定の入射角で入射した光を所定の観察域内に回折する位相分布を有した計算機ホログラムが提案されている。
【０００３】
【発明が解決しようとする課題】
この特開平１１−１８３７１６号、特開平１１−２９６０５４号にて提案されている計算機ホログラムは、レリーフパターンの上に反射層を設けるタイプ、又は、透過タイプのホログラムであるため、広い波長域に対して回折が生じる。このため、明るさを向上させる等の目的で観察領域を狭く設定すると、波長による回折角の違いにより観察位置毎に観察される色が変化してしまうという問題があった。
【０００４】
本発明は従来技術のこのような問題点に鑑みてなされたものであり、その目的は、所望の観察領域で白色に観察可能な白色拡散板とそれを反射板として用いた反射型液晶表示装置を提供することである。
【０００５】
【課題を解決するための手段】
上記目的を達成する本発明の白色拡散板は、所定の入射角で入射した照明光を特定の角度範囲内に回折して白色に見える白色拡散板において、
前記白色拡散板は、微小なセルの２次元アレーからなり、各セルは格子間隔が２次元的に連続的に変わる透過型又は反射型の２次元回折格子からなることを特徴とするものである。
【０００６】
この場合、その２次元回折格子は、透過型又は反射型のフレネルゾーンプレートの部分領域からなることが望ましい。
【０００７】
また、その２次元回折格子の照明光の入射方向を含む断面における最大の格子間隔ｄmax と最小の格子間隔ｄmin との比が、赤色波長λR と青色波長λB の比より大きいことが望ましい。
【０００８】
その場合、赤色波長λR が６５０ｎｍであり、青色波長λB が４５０ｎｍであることが望ましい。
【０００９】
また、その２次元回折格子は位相格子からなり、少なくとも照明光の入射方向を含む断面において、特定の１つの次数に回折するようにブレーズ化されていることが望ましい。
【００１０】
この場合、２次元回折格子は、照明光の入射方向を含む断面に直交する方向において、特定の次数のプラスにブレーズ化されたものとマイナスにブレーズ化されたものとが略等しく存在していることが望ましい。
【００１１】
本発明の表示装置は、以上の白色拡散板を透過型又は反射型のスクリーンとして用いていることを特徴とするものである。
【００１２】
また、本発明の反射型液晶表示装置は、以上の白色拡散板を反射板として背面に配置していることを特徴とするものである。
【００１３】
もう１つの本発明の反射型液晶表示装置は、以上の白色拡散板を液晶層と背面基板の間に反射板として配置していることを特徴とするするものである。
【００１４】
この場合、その反射板を半透過性のものをして構成し、その背面側に光源を設けるようにしてもよい。
【００１５】
本発明においては、微小なセルの２次元アレーからなり、各セルは格子間隔が２次元的に連続的に変わる透過型又は反射型の２次元回折格子からなるので、所定の入射角で照明光を入射させたときに赤色から青色に至る波長域の光が全て回折する角度範囲が存在し、その角度範囲で白色に観察可能で、その範囲で視点を移動させても観察される色に変化が起きないものであり、反射型液晶表示装置の反射板等に適したものである。
【００１６】
【発明の実施の形態】
以下に、本発明の白色拡散板の原理と実施例につて説明する。
【００１７】
発明の白色拡散板は、格子間隔が連続的に変わる２次元回折格子に所定の入射角で照明光が入射したとき、赤色から青色に至る波長域の光が全て回折する角度範囲が存在し得ることを利用して、そのような２次元回折格子をセルとして２次元のアレー状に並べて構成したもので、その角度範囲内でこの拡散板を観察すると明るく白色に見えるものである。
【００１８】
分かりやすさのために、格子間隔が連続的に変わる２次元回折格子の代表例として、まず、フレネルのゾーンプレートをあげて、本発明の原理を説明する。以下、フレネルのゾーンプレートを単にゾーンプレートと呼ぶ。
【００１９】
ゾーンプレート１は、図６に模式的に図示するように、振幅型あるいは位相型の格子を同心円状に配置したもので、格子の間隔は中心から外側に向かって連続的に減少して行く（例えば、鶴田匡夫著「応用物理工学選書１  応用光学Ｉ」（１９９０．７．２０（株）培風館発行）参照）。このゾーンプレート１は、正レンズあるいは負レンズの作用を持つもので、その焦点距離ｆは、中心部分の半径をｓ1 とすると、
ｆ＝±ｓ1 2 ／λ                                      ・・・（１）
である。ここで、＋は正レンズのとき、−は負レンズのときの焦点距離ｆである。また、λは波長である。なお、ゾーンプレート１が正レンズとして作用するのはゾーンプレート１の回折次数が＋１次のとき、負レンズとして作用するのはゾーンプレート１の回折次数が−１次のときである。
【００２０】
ところで、上記（１）から明らかなように、ゾーンプレート１の焦点距離ｆは波長λに反比例し、波長λが長くなれば焦点距離ｆは短くなる。
【００２１】
いま、図４に示すように、このゾーンプレート１の領域Ａに入射角θで平行な照明光２を入射させる場合について検討する。図４は正のゾーンプレート１の場合であり、図４（ａ）は垂直方向の断面図、図４（ｂ）は水平方向の投影図である。
【００２２】
ゾーンプレート１の赤色波長の焦点距離をｆR 、青色波長の焦点距離をｆB とし、ゾーンプレート１の中心Ｏに入射角θで入射し回折されずに通過する光線３とゾーンプレート１の赤色波長の焦点面との交点をＰR 、青色波長の焦点面との交点をＰB とするとき、ゾーンプレート１の中心Ｏより下側領域Ａに照明光２が入射角θで入射すると、赤色波長成分は点ＰR に一旦集光しその後角度範囲αR 内に発散して行く。その回折光の中、最も上側に回折される光を４RU、最も下側に回折される光を４RLとする。また、青色波長成分は点ＰB に一旦集光しその後角度範囲αB 内に発散して行く。その回折光の中、最も上側に回折される光を４BU、最も下側に回折される光を４BLとする。この図から明らかなように、赤色波長成分と青色波長成分が共に回折される角度範囲は、上側が青色波長成分の最も上側に回折される光線４BUで限定され、下側が赤色波長成分の最も下側に回折される光線４RLで限定される範囲αW となり、この角度範囲αW 内には、簡単な考察で明らかなように、赤色波長成分と青色波長成分の間の波長成分も回折されて入射するので、ゾーンプレート１の領域Ａに上側から入射角θで照明光２を入射させると、角度範囲αW 内には赤色から青色に至る波長域の光が全て回折して白色に見えることになる。
【００２３】
以上は、垂直方向についてであるが、水平方向については、図４（ｂ）に示すように、照明光２は投影図上でゾーンプレート１に垂直に入射し、赤色波長成分は点ＰR に一旦集光しその後角度範囲βR 内に発散して行き、青色波長成分は点ＰB に一旦集光しその後角度範囲βB 内に発散して行く。赤色波長成分と青色波長成分が共に回折される角度範囲は、青色波長成分の回折される角度範囲βB であり、この角度範囲βB 内には赤色から青色に至る波長域の光が全て回折して白色に見えることになる。
【００２４】
ゾーンプレート１が負のパワーの場合の図４と同様の図を図５に示す。この場合は、照明光２が入射角θで入射するゾーンプレート１の領域Ａが中心Ｏより上側になる点だけが異なり、結果は図４の正のゾーンプレート１の場合と同じであるので、説明は省く。
【００２５】
ところで、ゾーンプレート１の回折次数を＋１次あるいは−１次のみと制限して、図４のように正パワーのゾーンプレート１にするか、図５のように負パワーのゾーンプレート１とするには、その位相格子を図７に模式的に断面を示すようにブレーズ化すればよい。図７（ａ）は回折次数を＋１次に制限して正パワーのゾーンプレート１とする場合のブレーズ化の面形状の断面図であり、図７（ｂ）は回折次数を−１次に制限して負パワーのゾーンプレート１とする場合のブレーズ化の面形状の断面図である。
【００２６】
また、これら回折次数が＋１次あるいは−１次に制限されたゾーンプレート１を反射型に構成するには、図８に模式的に断面を示すように裏面のブレーズ化したレリーフ面上にアルミニウム等の反射層５を設ければよい。図８（ａ）は正パワーのゾーンプレート１を、図８（ｂ）は負パワーのゾーンプレート１の断面図である。ただし、反射型の場合のブレーズド面の傾きは、光が透明媒質内を往復するので、当然透過型の場合とは異なることになる。なお、反射層５をレリーフ面ではなく反対側の平面に設け、レリーフ面側から光を入射させるようにしてもよい。また、図８（ａ）又は（ｂ）の反射層５に直接光が入射して反射するようにしてもよい。その場合は、図８（ａ）の構成は負パワーのゾーンプレート１に、図８（ｂ）の構成は正パワーのゾーンプレート１になる。
【００２７】
さて、このように、透過型の場合の裏面側の斜め上方から、反射型の場合は前面側の斜め上方から照明光２を入射せたてときに、前面側の垂直方向の角度範囲αW 内、水平方向の角度範囲αB 内で白色に見える正パワーあるいは負パワーのゾーンプレート１の部分領域Ａを微細なセルに構成し、これをアレー状に並べることにより所望の面積で全面が白色に見える白色拡散板を構成することができる。
【００２８】
図１に図４のような正パワーのゾーンプレート１の部分領域Ａをセルとして２次元的に碁盤の目状に配置して白色拡散板１０を構成した場合の模式図を示す。図２は図５のような負パワーのゾーンプレート１の部分領域Ａ’（図５では領域Ａとしているが、ここでは図４の部分領域Ａと区別するためにＡ’とする。）をセルとして２次元的に碁盤の目状に配置して白色拡散板１０を構成した場合の模式図を示す。また、図３は図４の正パワーのゾーンプレート１の部分領域Ａと図５の負パワーのゾーンプレート１の部分領域Ａ’とをセルとして交互に配置して白色拡散板１０を構成した場合の模式図を示す。図１０に図１の各セルに用いられる隣接する２つのセルＡの位相分布を濃度で表した具体的なパターン例を示す。図１１に図２の各セルに用いられる隣接する２つのセルＡ’の図１０と同様の図を、図１２に図３の各セルに用いられる隣接する２つのセルＡとＡ’の図１０と同様の図をそれぞれ示す。なお、ゾーンプレート１の部分領域Ａ、Ａ’の２次元のアレー状の配置は、碁盤の目状に限定されず、デルタ配置、ストライプ配置等、２次元の面を密に規則的に満たす配置であれば何れのパターンの配置でもよい。図１３に各セルＡ又はＡ’の形状が六角形の場合の配置を、図１４には各セルＡ又はＡ’の形状が三角形の場合の配置を、図１５には各セルＡ又はＡ’の形状が長方形の場合の配置を例示して示してある。
【００２９】
なお、このような白色拡散板のアレーを構成するセルＡ、Ａ’の寸法は、各セルが目立たないようにするためには、縦横の長さが２００μｍ以下が望ましく、特に、後で説明するように、この白色拡散板を反射型液晶表示装置の反射拡散板として用いる場合は、液晶表示装置の画素の大きさ以下である例えば８０μｍ以下であることが望ましい。
【００３０】
以上は、ゾーンプレートを格子間隔が連続的に変わる２次元回折格子の代表例として検討したものであるが、より一般化して検討する。本発明の基本は、格子間隔が連続的に変わる２次元回折格子を微小なセルとして２次元アレー状に並べて構成したものであるが、マクロに見て微小な各セル中に格子間隔が連続的に変わる回折格子が密接して配置されているものと考えてよい。図９に示すように、格子間隔が連続的に変わる２次元回折格子からなる微小なセル１１に入射角θで照明光１２が入射するものとする。図９（ａ）は垂直方向の断面図、図９（ｂ）は水平方向の投影図である。微小なセル１１中の各方向の格子間隔の最小値をｄmin 、最大値をｄmax とする。
【００３１】
図９（ａ）に示すように、斜め上方から入射角θで照明光１２を入射させる場合について検討する。セル１１中の最小間隔ｄmin の格子により特定の次数、例えば＋１次に回折された赤色波長成分を１３minR、青色波長成分を１３minB、セル１１中の最大間隔ｄmax の格子により同じく特定の次数、例えば＋１次に回折された赤色波長成分を１３maxR、青色波長成分を１３maxBとし、これらの回折方向が図９（ａ）に示したような方向であるとき、照明光１２中の赤色波長成分は、セル１１中の連続的に変わる格子間隔ｄmin 〜ｄmax の回折格子によって光線１３minRから１３maxRの間、角度範囲で言うと、γminRからγmaxRの間の角度範囲ａ中に連続的に分布する。一方、照明光１２中の青色波長成分は、セル１１中の連続的に変わる格子間隔ｄmin 〜ｄmax の回折格子によって光線１３minBから１３maxBの間、角度範囲で言うと、γminBからγmaxBの間の角度範囲ｂ中に連続的に分布する。したがって、この角度範囲ａとｂの重なった角度範囲ｃ内には赤色から青色に至る波長域の光が全て回折して白色に見えることになる。
【００３２】
したって、斜め上方から入射角θで照明光１２が入射する場合に垂直方向前方で白色に見える領域ｃが存在するには、光線１３minB（最小間隔ｄmin の格子により回折された青色波長成分）の０次透過光（又は０次反射光）１２’から計った回折角（図中に示したように、法線から右周り方向を正とする。）θ−γminBが、１３maxR（最大間隔ｄmax の格子により回折された赤色波長成分）の０次透過光（又は０次反射光）１２’から計った回折角θ−γmaxRより大きいときに、白色に見える角度範囲ｃが存在することになる。これを数式化すると、
θ−γminB＞θ−γmaxR                                ・・・（２）
γminB＜γmaxR                                        ・・・（３）
γminB，γmaxRは何れも、−９０°≦γminB，γmaxR≦９０°の範囲に存在するので、
ｓｉｎγminB＜ｓｉｎγmaxR                            ・・・（４）
一方、回折の式から、
ｓｉｎθ−ｓｉｎγminB＝λB ／ｄmin                   ・・・（５）
ｓｉｎθ−ｓｉｎγmaxR＝λR ／ｄmax                   ・・・（６）
の関係にある。式（４）〜（６）から、
ｓｉｎθ−λB ／ｄmin ＜ｓｉｎθ−λR ／ｄmax 
∴  ｄmax ／ｄmin ＞λR ／λB                             ・・・（７）
となる。すなわち、垂直方向で白色に見える領域ｃが存在するためには、式（７）を満足するように２次元回折格子のセル１１が構成されていればよい。
【００３３】
また、水平方向については、図９（ｂ）に示す。この図から明らかなように、セル１１中の回折格子の格子間隔ｄmin 〜ｄmax と変化するとき、最小間隔ｄmin の格子による青色波長成分の±１次の回折範囲ｄが白色に見える範囲である。したがって、照明光１２が入射する方向と直交する水平方向については、白色に見える角度範囲が左右の対称の角度範囲±φminBとするためには、セル１１中の回折格子の最大の格子間隔ｄmax は可能な限り大きく、かつ、何れの格子間隔の格子においても＋１次にブレーズ化されたものと−１次にブレーズ化されたものとが略等しくあればよいことになる。
【００３４】
以上の一般化した検討から明らかなように、図１〜図３の各セルＡ、Ａ’に用いられる格子間隔が２次元的に連続的に変わる透過型あるいは反射型の２次元回折格子としては、ゾーンプレート１の部分領域Ａに限定されず、より一般的な格子間隔が２次元的に連続的に変わる透過型あるいは反射型の２次元回折格子を用いることができ、その場合の最低の要件としては、式（７）すなわち、照明光２、１２の入射方向を含む断面における最大の格子間隔ｄmax と最小の格子間隔ｄmin との比が、赤色波長λR と青色波長λB の比より大きいことを満足すればよい。白色に見えるためには、赤色波長λR は６５０ｎｍ、青色波長λB は４５０ｎｍであれば十分であるので、λR ／λB ≒１．４４であるから、ｄmax ／ｄmin も１．４４以上の分布であればよいことになる。また、照明光２、１２の入射方向を含む断面に対して垂直な方向について白色に見える角度範囲を左右で略対称にするためには、格子間隔が連続的に変わりブレーズ化した格子が左右で略対称に存在するようにすればよいことになる。
【００３５】
以上の検討から、本発明による白色拡散板１０の各セルＡ又はＡ’に用いる格子間隔が２次元的に連続的に変わる透過型あるいは反射型の２次元回折格子としては、図１０〜図１２に例示したようなゾーンプレート１の部分領域以外に種々の形状のものが考えられる。図１６に例示したものは、格子の形状が楕円曲線の一部からなるもので、この場合は非点収差を持たせたゾーンプレートと言うこともできる。図１７に例示したものは、格子間隔がセル内で一端から他端に向かって連続的に増加あるいは減少するのではなく増加と減少を繰り返すものである。その他、図示しないが、格子の形状が波線、放物線、双曲線、３次以上の曲線等からなるものであってもよい。
【００３６】
さて、以上のような白色拡散板１０、特に反射型の白色拡散板１０を例えば図１８に示した反射型液晶表示装置の反射拡散板３１として用いることにより、液晶表示素子４０の表示側から入射する照明光３２をその前方の所定の観察域へのみ拡散反射させ、明所で自発光型のバックライトを使用することなしに明るく白い表示が可能なものとなる。図１８において、液晶表示素子４０は、例えば、２枚のガラス基板４１、４２の間に挟持されたツイストネマチック等の液晶層４５からなり、一方のガラス基板４２内表面には一様な透明対向電極４４が設けられ、他方のガラス基板４１内表面には画素毎に独立に透明表示電極４３と不図示のブラック・マトリックスが設けられている。なお、カラー表示装置の場合は、他方のガラス基板４１内表面には液晶セルＲ、Ｇ、Ｂ毎に独立に透明表示電極４３とカラーフィルター、ブラック・マトリックスが設けられている。また、電極４３、４４の液晶層４５側には不図示の配向層も設けられており、さらに、観察側ガラス基板４１外表面には偏光板４６が、観察側とは反対側のガラス基板４２外表面には偏光板４７がそれぞれ貼り付けられており、例えばそれらの透過軸は相互に直交するように配置されている。このような液晶表示素子４０の透明表示電極と透明対向電極間に印加する電圧を制御してその透過状態を変化させることにより、数字、文字、記号、絵柄等が選択的に表示が可能なものである。そして、反射拡散板３１は例えば図１に示したような構成の本発明に基づく反射型の白色拡散板１０からなり、その反射拡散板３１を液晶表示素子４０の観察側とは反対側に配置し、液晶表示素子４０の表示側から入射する赤色から青色に至る波長域の光を含む照明光３２をその裏面に配置したこの反射拡散板３１で前方へ拡散反射させ、明所で自発光型のバックライトを使用することなしに白い表示が可能なものとなる。
【００３７】
また、上記の本発明に基づく反射型の白色拡散板１０は、図１９に示したように、反射型液晶表示装置の液晶層４５と背面基板４２’の間に反射板として配置してもよい。この場合は、白色拡散板１０の反射層５（図８）が光反射性電極４４’を兼ねることになる。この場合、反射層５はレリーフ面を表面に形成した基材２１上に設けられる。
【００３８】
また、例えば図１９の構成において、反射層５として半透過型のものを用い（反射層５の厚さを例えば２５０ｎｍ程度以下にする。）、その背面に光源を配置して、外光に基づく照明光３２がないときあるいは少なく暗い場合に、その背面の光源を点灯して、バックライトによる照明により明るい表示を可能にすることもできる。
【００３９】
以上、本発明による白色拡散板を原理と実施例に基づいて説明してきたが、これらに限定されず種々の変形が可能である。また、本発明の白色拡散板は、反射型液晶表示装置用の反射板以外にも、例えば投影表示用の反射スリーン、透過スリーン等に用いることが可能である。
【００４０】
【発明の効果】
以上の説明から明らかなように、本発明の白色拡散板によると、微小なセルの２次元アレーからなり、各セルは格子間隔が２次元的に連続的に変わる透過型又は反射型の２次元回折格子からなるので、所定の入射角で照明光を入射させたときに赤色から青色に至る波長域の光が全て回折する角度範囲が存在し、その角度範囲で白色に観察可能で、その範囲で視点を移動させても観察される色に変化が起きないものであり、反射型液晶表示装置の反射板等に適したものである。
【図面の簡単な説明】
【図１】本発明の１実施例の白色拡散板の構成を示す模式図である。
【図２】他の実施例の白色拡散板の構成を示す模式図である。
【図３】もう１つの実施例の白色拡散板の構成を示す模式図である。
【図４】正パワーのゾーンプレートの部分領域に照明光を入射させる場合について検討するための図である。
【図５】負パワーのゾーンプレートの部分領域に照明光を入射させる場合について検討するための図である。
【図６】ゾーンプレートの形状を模式的に示す図である。
【図７】透過型のゾーンプレートの位相格子を模式的に示す断面図である。
【図８】反射型のゾーンプレートの位相格子を模式的に示す断面図である。
【図９】格子間隔が連続的に変わる一般的な２次元回折格子に照明光を入射させる場合について検討するための図である。
【図１０】図１の各セルに用いられる隣接する２つのセルの具体的なパターン例を示す図である。
【図１１】図２の各セルに用いられる隣接する２つのセルの具体的なパターン例を示す図である。
【図１２】図３の各セルに用いられる隣接する２つのセルの具体的なパターン例を示す図である。
【図１３】本発明の白色拡散板のセル形状が六角形の場合の配置を示す図である。
【図１４】本発明の白色拡散板のセル形状が三角形の場合の配置を示す図である。
【図１５】本発明の白色拡散板のセル形状が長方形の場合の配置を示す図である。
【図１６】２次元回折格子の格子の形状が楕円曲線の一部からなる場合を示す図である。
【図１７】２次元回折格子の格子間隔がセル内で増加と減少を繰り返す場合を示す図である。
【図１８】本発明による白色拡散板を適用した反射型液晶表示装置の構成を示す断面図である。
【図１９】本発明による白色拡散板を適用した別の反射型液晶表示装置の構成を示す断面図である。
【符号の説明】
Ａ、Ａ’…ゾーンプレートの部分領域（セル）
１…ゾーンプレート
２…照明光
３…ゾーンプレートの中心を通る光線
４RU…赤色波長成分の最も上側に回折される光
４RL…赤色波長成分の最も下側に回折される光
４BU…青色波長成分の最も上側に回折される光
４BL…青色波長成分の最も下側に回折される光
４R …赤色波長成分の左右の最も外側に回折される光
４B …青色波長成分の左右の最も外側に回折される光
５…反射層
１０…白色拡散板
１１…セル
１２…照明光
１２’…照明光０次透過光（又は０次反射光）
１３minR…セル中の最小間隔の格子により回折された赤色波長成分
１３minB…セル中の最小間隔の格子により回折された青色波長成分
１３maxR…セル中の最大間隔の格子により回折された赤色波長成分
１３maxB…セル中の最大間隔の格子により回折された青色波長成分
２１…白色拡散板の基材
３１…反射拡散板
３２…照明光
４０…液晶表示素子
４１、４２…ガラス基板
４２’…背面基板
４３…透明表示電極
４４…透明対向電極
４４’…反射性電極
４５…液晶層
４６、４７…偏光板
【図１】
0004479981.tif 000002
【図２】
0004479981.tif 000003
【図３】
0004479981.tif 000004
【図４】
0004479981.tif 000005
【図５】
0004479981.tif 000006
【図６】
0004479981.tif 000007
【図７】
0004479981.tif 000008
【図８】
0004479981.tif 000009
【図９】
0004479981.tif 000010
【図１０】
0004479981.tif 000011
【図１１】
0004479981.tif 000012
【図１２】
0004479981.tif 000013
【図１３】
0004479981.tif 000014
【図１４】
0004479981.tif 000015
【図１５】
0004479981.tif 000016
【図１６】
0004479981.tif 000017
【図１７】
0004479981.tif 000018
【図１８】
0004479981.tif 000019
【図１９】
0004479981.tif 000020